(57)【要約】【課題】電気ポットの吐出通路を構成する２つの部材を超音波溶着により一体化した場合に、その溶着痕が吐出通路の内面に露出して流線を乱す原因になる問題を解消することである。【解決手段】吐出通路８を構成する下部材１３の側壁と、上部材１４との溶着部の内面に沿うカバーリブ２４を上記上部材１４の下面に設け、そのカバーリブ２４により溶着痕をカバーするようにした。【選択図】　図３
2004016485.tif 000002
【特許請求の範囲】
【請求項１】
内部容器に連通された液通路の上端部に弁装置を設け、その弁装置の出側に吐出通路、その吐出通路の先端部に吐出口をそれぞれ設け、該吐出通路を形成する溝部とその溝部先端部の底面に設けられた上記吐出口とを同一の下部材により形成するとともに、該溝部を形成する溝壁上に他の上部材を重ねて溝部及び吐出口をカバーし、上記下部材と上部材を上記溝壁上で溶着一体化してなるポットの吐出部において、上記溝壁と上部材との溶着部の内面に沿うカバーリブを該上部材の下面に設けたことを特徴とするポットの吐出部。
【請求項２】
上記溝部の溝壁が、流れの方向に沿った両側壁と、溝先端部において両側の側壁先端部間に設けられた先端壁により構成され、上記カバーリブを上記吐出口の中心部から前方の上記両側壁と先端壁に沿って設けたことを特徴とする請求項１に記載のポットの吐出部。
【発明の詳細な説明】
【０００１】
【発明の属する技術分野】
この発明は、電気ポット等の各種ポットの吐出部に関し、特に超音波溶着痕が流線に与える影響を解消することに関する。
【０００２】
【従来の技術】
電気ポットの吐出部は、一般に、内部容器に連通された液通路の上端部に弁装置を設け、その弁装置の出側に吐出通路、その吐出通路の先端部に吐出口をそれぞれ設け、該吐出通路を形成する溝部とその溝部先端部の底面に設けられた上記吐出口とを同一の下部材により形成するとともに、該溝部を形成する溝壁上に他の上部材を重ねて溝部及び吐出口をカバーし、上記両部材を上記溝壁上で超音波溶着により接合一体化する構成が採られる（特開平１１−１６９２９０号公報参照）。
【０００３】
【発明が解決しようとする課題】
しかしながら、上記の超音波溶着部においては、溶融した樹脂の固まりが吐出通路の内面に複雑な形状で突き出して固着し、いわゆる溶着痕が残る。その固まりの大きさや、形状は溶着条件により種々様々であり、予測が困難である。また、その樹脂の固まりに湯の流れが接触することにより流線が乱され、吐出口から落下する湯が飛び散る原因になる。また、樹脂の固まりが複雑な形状をしていることから、水垢の付着を促進させ、汚れやにおいが付着する原因にもなる。
【０００４】
そこで、この発明は、上記の樹脂の固まり、すなわち、溶着痕の影響を受けない構造の吐出部を提供することを課題とする。
【０００５】
【課題を解決するための手段】
上記の課題を解決するために、この発明は、内部容器に連通された液通路の上端部に弁装置を設け、その弁装置の出側に吐出通路、その吐出通路の先端部に吐出口をそれぞれ設け、該吐出通路を形成する溝部とその溝部先端部の底面に設けられた上記吐出口とを同一の下部材により形成するとともに、該溝部を形成する溝壁上に他の上部材を重ねて溝部及び吐出口をカバーし、上記下部材と上部材を上記溝壁上で溶着一体化してなるポットの吐出部において、上記溝壁と上部材との溶着部の内面に沿うカバーリブを該上部材の下面に設けた構成を採用した。
【０００６】
上記の構成によると、カバーリブにより溶着痕がカバーされるため、吐出流がその溶着痕に接触することがない。このため、流線が乱されることもなく、水垢が付着することもない。
【０００７】
上記溝部の溝壁が、流れの方向に沿った両側壁と、溝先端部において両側の側壁先端部間に設けられた先端壁により構成され、上記カバーリブを上記吐出口の中心部から前方の上記両側壁と先端壁に沿って設けた構成を採ることもできる。
【０００８】
吐出口の中心部から前方の両側壁と先端壁に沿った部分は、吐出口に接近した部分であるから、この部分に存在する溶着痕は吐出口から落下する湯の流線を乱す直接の原因となるので、少なくとも、この部分に存在する溶着痕の影響を前記リブで解消しようとするものである。
【０００９】
【発明の実施の形態】
以下、この発明の実施形態を添付図面に基づいて説明する。図１に示した実施形態の電気ポットは、ポット本体１の内部に内容器２を収納し、その内容器２の底面に連通された液通路３がポット本体１の上部前面に突き出したくちばし部４に延び、そのくちばし部４内部に設けられた弁セット５の弁装置６の入口７に接続される。弁装置６の出口は弁セット５内の吐出通路８に連通され、その吐出通路８の先端部に下向きの吐出口９が設けられる。吐出口９の下端は、くちばし部４の吐出穴１１の上部に臨んでいる。
【００１０】
図２は、上記の弁セット５を示している。この弁セット５は、主として前記の弁装置６を設けた弁装置部材１２、吐出通路８を構成する下部材１３および上部材１４を組み合わせて構成される。弁装置６は前記の入口７に通じた弁室１５に転倒時の湯漏れを防止する弁体１６が収納され、その弁体１６は所要の間隔をおいて上部に設けられた弁孔１７に対向する。また、上記弁孔１７と吐出通路８との間に逆止弁１８が設けられる。この逆止弁１８は、吐出通路８側から戻る湯を通過させて、図示省略の還流通路から入口７を経て液通路３に戻す作用をなす。
また、上記弁孔１７と逆止弁１８との間に、傾斜時湯漏れ防止弁が設けられる場合もある。
【００１１】
上記の吐出通路８は、下部材１３により溝部２０が形成され、上部材１４によりその溝部２０がカバーされる。溝部２０は、図３に示すように、底面部１９と、その底面部１９から立ち上がった溝壁２１により形成される。溝壁２１は両側壁２１ａ、２１ａと、その両側壁２１ａの先端部間に設けられた先端壁２１ｂとからなる。これらの溝壁２１の上端面に嵌合溝２２が設けられる。なお、底面部１９は図２に示すように、吐出口９側が上がるように傾斜が付けられている。この傾斜は、液切れを良好にするために設けられる。
【００１２】
上記の溝部２０をカバーする上部材１４の下面には、上記の嵌合溝２２に対応した嵌合リブ２３が設けられる。また、その嵌合リブ２３の内側に沿って、前記先端壁２１ｂの内側面と、その両端部に連続した両側壁２１ａ、２１ａの一部に渡り、これらの内面に０．２〜０．３ｍｍのすき間２６をあけてカバーリブ２４が設けられる。このカバーリブ２４は平面視でコの字形をなし（図３（ａ）参照）、その両端部は吐出口９のほぼ中心部にあり（同図（ｂ）参照）、その部分から、吐出口９の前半上部を囲むように設けられる。
【００１３】
この部分は、吐出口９に落下する湯の流れが落下直前に接触する部分であり、その流れの流線の形状に直接影響を及ぼす。この部分より後方（弁装置６側）にもカバーリブ２４を延出して設けてもよい。
【００１４】
実施形態の電気ポットは、以上のようなものであり、その吐出部を構成する下部材１３の嵌合溝２２と、上部材１４の嵌合リブ２３とを嵌合した上で超音波溶着が行われる。その際、嵌合部分に樹脂の溶融が生じ、図４に示すような、溶着痕２５が発生するが、溝部２０の内面側に現れる溶着痕２５はカバーリブ２４によりカバーされ、溝部２０の内面に露出することがない。従って、吐出流は、溶着痕２５に触れることなく、平坦な表面をもったカバーリブ２４に沿って流れる。
【００１５】
【発明の効果】
以上のように、この発明は、吐出通路の内面側に溶着痕のカバーリブを設けたことにより、吐出口から落下する湯の流線が乱され難くなり、飛び散りが防止される。また、吐出通路内に水垢が付着し難くなる効果もある。
【図面の簡単な説明】
【図１】実施形態の概略図
【図２】同上の弁セット部分の断面図
【図３】（ａ）同上の吐出部の一部分解斜視図
（ｂ）図２の一部拡大断面図
（ｃ）図３（ｂ）のｃ−ｃ線の断面図
【図４】同上の溶着部分の拡大断面図
【符号の説明】
１　ポット本体
２　内容器
３　液通路
４　くちばし部
５　弁セット
６　弁装置
７　入口
８　吐出通路
９　吐出口
１１　吐出穴
１２　弁装置部材
１３　下部材
１４　上部材
１５　弁室
１６　弁体
１７　弁孔
１８　逆止弁
１９　底面部
２０　溝部
２１　溝壁
２１ａ　側壁
２１ｂ　先端壁
２２　嵌合溝
２３　嵌合リブ
２４　カバーリブ
２５　溶着痕
２６　すき間
【図１】
2004016485.tif 000003
【図２】
2004016485.tif 000004
【図３】
2004016485.tif 000005
【図４】
2004016485.tif 000006